(57)【要約】【課題】折り畳み可能でありながら、外部から目立たないように発光部への給電を行うことが出来、しかもパネルのつなぎ目が目立ちにくい折り畳み可能な照明装置を提供する。【解決手段】隣接するパネル１０の発光層１１同士の間にスキマがあった場合に、つなぎ目の部分の光量が低下する恐れがあるが、出射光の一部が発光面１４ａで反射して透明板１４の端面１４ｂから出射した後に、フレキシブルプリント基板ＦＰＣで反射することで、かかる光量の低下を補い、これによりパネル１０発光時に、つなぎ目が目立たないようにできる。これにより小面積のパネル１０を組み合わせて、違和感の少ない大面積の照明をおこなうことができる。【選択図】図１
2012199066.tif 000002
【特許請求の範囲】
【請求項１】
外部から給電されることで発光する発光部と、前記発光部から発光した光を外部に出射する発光面とを備えた複数のパネルと、
前記複数のパネルを連結する可撓性のある連結部とを有し、
前記連結部は、前記複数のパネルの発光部に電気的に接続する可撓性のある配線を含むことを特徴とする折り畳み可能な照明装置。
【請求項２】
前記連結部は、前記配線のみを含むことを特徴とする請求項１に記載の折り畳み可能な照明装置。
【請求項３】
各パネルにおいて、前記発光部が前記発光面に対して裏面側に設けられており、少なくとも２枚の前記パネルの発光面が互いに外側を向くように折り畳まれることを特徴とする請求項２に記載の折り畳み可能な照明装置。
【請求項４】
各パネルにおいて、前記発光部が前記発光面に対して裏面側に設けられており、少なくとも２枚の前記パネルの発光面が互いに内側を向くように折り畳まれ、前記少なくとも２枚のパネル間の連結部の長さは、前記パネルの厚さの２倍以上であることを特徴とする請求項２に記載の折り畳み可能な照明装置。
【請求項５】
前記配線は、白色に着色されており、前記パネルの端面から出射した光を反射することを特徴とする請求項２〜４のいずれかに記載の折り畳み可能な照明装置。
【請求項６】
前記パネルの端面は、斜めに切断されていることを特徴とする請求項２〜５のいずれかに記載の折り畳み可能な照明装置。
【請求項７】
前記連結部は、前記配線に加え、前記配線を覆う可撓部材を含むことを特徴とする請求項１に記載の折り畳み可能な照明装置。
【請求項８】
前記可撓部材は光透過性の素材からなり、前記パネルの端面から出射した光を透過することを特徴とする請求項７に記載の折り畳み可能な照明装置。
【請求項９】
前記配線とはフレキシブルプリント基板であることを特徴とする請求項１〜８のいずれかに記載の折り畳み可能な照明装置。
【発明の詳細な説明】
【技術分野】
【０００１】
本発明は、発光面から出射した光により照明を行う折り畳み可能な照明装置に関する。
【背景技術】
【０００２】
近年、照明光源の多様化が進み、種々の照明装置が提案されている。ここで、インテリアデザインを向上する観点からは、例えば壁面等に取り付けて面発光させたいという要求がある。しかるに、例えば将来の光源として有望視されている有機ＥＬ等においては、現状では、大面積で発光するものは製造が難しいという問題がある。そこで、小サイズの有機ＥＬを組み合わせて、大面積の照明装置を構成しようとする試みがある。
【０００３】
ここで、大面積の照明装置は、収容時に嵩張り、また運搬が厄介であるという問題がある。又、円柱などの周囲に設ける場合には、照明装置を円柱状に曲げなくてはならないが、そのような照明装置の製造は一般的に困難である。
【０００４】
これに対し、特許文献１，２には、複数個の面発光部をヒンジで連結し、折り曲げ可能に構成したものが開示されている。特許文献３には、発光面をＶ字状に連結した構成が開示されている。
【先行技術文献】
【特許文献】
【０００５】
【特許文献１】特開２００８−８４５５５号公報
【特許文献２】特開２００６−１４７２６２号公報
【特許文献３】特開２００７−５２２８号公報
【発明の概要】
【発明が解決しようとする課題】
【０００６】
しかるに、特許文献１〜３の技術によれば、パネル状の照明装置を折り畳むことで、収容や運搬は容易になるが、ヒンジ等の連結部自体は発光しないので影の部分として残り、連続した１つの照明として用いることができず、照明デザイン上問題となっている。又、発光部への給電をどのように行うかという問題もある。
【０００７】
本発明は、かかる従来技術の問題点に鑑みてなされたものであり、折り畳み可能でありながら、外部から目立たないように発光部への給電を行うことが出来、しかもパネルのつなぎ目が目立ちにくい折り畳み可能な照明装置を提供することを目的とする。
【課題を解決するための手段】
【０００８】
請求項１に記載の折り畳み可能な照明装置は、外部から給電されることで発光する発光部と、前記発光部から発光した光を外部に出射する発光面とを備えた複数のパネルと、
前記複数のパネルを連結する可撓性のある連結部とを有し、
前記連結部は、前記複数のパネルの発光部に電気的に接続する可撓性のある配線を含むことを特徴とする折り畳み可能な照明装置。
【０００９】
本発明によれば、前記複数のパネルを可撓性のある連結部により連結することで、折り畳み可能とでき、収納や運搬が容易となる。更に、前記連結部が、前記複数のパネルの発光部に電気的に接続する可撓性のある配線を含むので、別個に配線を設けることなく、連結された前記複数のパネルの発光部全てに給電を行うことが可能となり、しかも配線が目立たないという利点がある。配線は、板状であると好ましい。
【００１０】
請求項２に記載の折り畳み可能な照明装置は、請求項１に記載の発明において、前記連結部は、前記配線のみを含むことを特徴とする。これにより、前記連結部の折り曲げが容易になる。
【００１１】
請求項３に記載の折り畳み可能な照明装置は、請求項２に記載の発明において、各パネルにおいて、前記発光部が前記発光面に対して裏面側に設けられており、少なくとも２枚の前記パネルの発光面が互いに外側を向くように折り畳まれることを特徴とする。隣接する２枚の前記パネルを、その発光面が互いに外側を向くように折り畳む場合には、前記発光部同士が近接するので、比較的小さな曲率で前記連結部を折り曲げなくてはならない。そこで、前記連結部が前記配線のみを含むようにすることで、小さな曲率で折り曲げることが可能になる。
【００１２】
請求項４に記載の折り畳み可能な照明装置は、請求項２に記載の発明において、各パネルにおいて、各パネルにおいて、前記発光部が前記発光面に対して裏面側に設けられており、少なくとも２枚の前記パネルの発光面が互いに内側を向くように折り畳まれ、前記少なくとも２枚のパネル間の連結部の長さは、前記パネルの厚さの２倍以上であることを特徴とする。２枚の前記パネルを、その発光面が互いに内側を向くように折り畳む場合には、前記発光部同士がパネルを挟んで遠ざかるので、比較的大きな曲率で前記連結部を折り曲げることができるが、前記連結部自体を長くする必要がある。そこで、前記少なくとも２枚のパネル間の連結部の長さを、前記パネルの厚さの２倍以上にすることで、例えば１８０度折り曲げることができるようにしている。
【００１３】
請求項５に記載の折り畳み可能な照明装置は、請求項２〜４のいずれかに記載の発明において、前記配線は、白色に着色されており、前記パネルの端面から出射した光を反射することを特徴とする。前記パネルの端面から出射した光を、露出した前記配線で反射することで、前記パネル間のつなぎ目を目立たなくさせることができ、これは特に前記連結部を長くする場合に有効である。尚、配線を鏡面化したり、或いは銀色等で着色しても良い。
【００１４】
請求項６に記載の折り畳み可能な照明装置は、請求項２〜５のいずれかに記載の発明において、前記パネルの端面は、斜めに切断されていることを特徴とする。これにより前記連結部の折り曲げに殆ど支障なく、前記配線が極力見えなくなるように前記パネルの端部で覆うことができるとともに、前記パネルの端部から出射する光を用いることで、前記パネル間のつなぎ目を目立たなくさせることができる。
【００１５】
請求項７に記載の折り畳み可能な照明装置は、請求項１に記載の発明において、前記連結部は、前記配線に加え、前記配線を覆う可撓部材を含むことを特徴とする。これにより、隣接するパネル同士を隔置しても、配線を目立たなくできる。
【００１６】
請求項８に記載の折り畳み可能な照明装置は、請求項７に記載の発明において、前記可撓部材は光透過性の素材からなり、前記パネルの端面から出射した光を透過することを特徴とする。前記パネルの端面から出射した光を、光透過性の素材を介して透過することで、前記パネル間のつなぎ目を目立たなくさせることができる。
【００１７】
請求項９に記載の折り畳み可能な照明装置は、請求項１〜８に記載の発明において、前記配線とはフレキシブルプリント基板であることを特徴とする。これにより繰り返しの折り畳みに対する耐久性を備えることができる。
【発明の効果】
【００１８】
本発明によれば、折り畳み可能でありながら、外部から目立たないように発光部への給電を行うことが出来、しかもパネルのつなぎ目が目立ちにくい折り畳み可能な照明装置を提供することができる。
【図面の簡単な説明】
【００１９】
【図１】第１の実施の形態にかかる折り畳み可能な照明装置の拡大断面図である。
【図２】第１の実施の形態にかかる照明装置を折り畳んだ状態で示す斜視図である。
【図３】第１の実施の形態にかかる照明装置を折り畳んだ状態で示す拡大断面である。
【図４】パネルの構造を模式的に示す斜視図である。
【図５】本実施の形態の変形例にかかる折り畳み可能な照明装置の拡大断面図である。
【図６】第２の実施の形態にかかる折り畳み可能な照明装置の拡大断面図である。
【図７】第２の実施の形態にかかる照明装置を折り畳んだ状態で示す斜視図である。
【図８】第２の実施の形態にかかる照明装置を折り畳んだ状態で示す拡大断面である。
【図９】本実施の形態の照明装置を凸状の曲面ＣＰに取り付けた状態で示す断面図である。
【図１０】本実施の形態の照明装置を凹状の曲面ＣＰに取り付けた状態で示す断面図である。
【発明を実施するための形態】
【００２０】
（第１の実施の形態）
以下、添付した図面を参照しながら、本発明の実施形態を説明する。図１は、第１の実施の形態にかかる折り畳み可能な照明装置の拡大断面図である。図２は、第１の実施の形態にかかる照明装置を折り畳んだ状態で示す斜視図である。図３は、第１の実施の形態にかかる照明装置を折り畳んだ状態で示す拡大断面である。図４は、パネルの構造を模式的に示す斜視図である。
【００２１】
図４において、各パネル１０は、共通の有機ＥＬ構造を有し、具体的にはパネル１０全体にわたって延在する発光層１１と、発光層１１を挟む陰極層１２及び透明な陽極層１３と、発光層１１、陰極層１２及び陽極層１３の周囲を覆って密封するガラス又は樹脂の透明板１４とを有する。又、図４では不図示のフレキシブルプリント基板ＦＰＣに接続された端子１５を介して陰極層１２及び陽極層１３に給電可能となっている。
【００２２】
本実施の形態では、図１に示すように、透明板１４は、発光層１１とは反対側に位置する発光面１４ａと、垂直にカットされた端面１４ｂとを有する。隣接するパネル１０は、その端面１４ｂ同士を対向させるようにして、フレキシブルプリント基板ＦＰＣの一部により連結されている。フレキシブルプリント基板ＦＰＣにおいて、露出している部分Ａは白色に着色されている。パネル１０間の連結部となる、露出している部分Ａの長さΔは、両パネル１０の厚さｔの和以上（Δ≧２ｔ）である。
【００２３】
通常のフレキシブルプリント基板ＦＰＣは茶色いカバーレイで絶縁することが多いが、ソルダーレジストでの絶縁方法も考慮し、一部または全体の絶縁をソルダーレジストで行い、その色を白色にする。但し、外から入り込んだ自然光を発光色に合わせて反射させたい場合には、任意の色とすることもできる。これは通常の工程でソルダーレジストの色を変更することにより、発光色に合わせた所望の色（緑、赤、青、黄、白、黒など）に対応できる。尚、隣接するパネル１０間のフレキシブルプリント基板ＦＰＣだけを着色するのではなく、パネル１０の下にも着色部を多少延ばしたり、場合によっては全部着色することで、反射効果を一層高めることができる。
【００２４】
フレキシブルプリント基板ＦＰＣは、隣接するパネル１０同士を折り曲げ可能に連結する機能と、パネル１０間にまたがって給電する機能とを有する。
【００２５】
フレキシブルプリント基板ＦＰＣを介して外部（最も端にあるパネル１０に外部給電用のプラグを設ける等）より各パネル１０に給電され、発光層１１に陰極層１２及び陽極層１３から電圧を印加すると、それぞれプラスとマイナスの電荷を持つ正孔、電子が発生する。両層が発光層１１で結合すると、発光物である有機物は一旦、励起と呼ばれる高エネルギー状態になり、これが元の安定状態に戻る際に発光が行われる。
【００２６】
発光層１１が発光すると、その出射光の殆どは、透明な陽極層１３及び透明板１４を通過して、発光面１４ａから発光する。ここで、隣接するパネル１０の発光層１１同士の間にスキマがあった場合に、つなぎ目の部分の照明光量が低下する恐れがあるが、図１に示すように、出射光の一部が発光面１４ａで反射して透明板１４の端面１４ｂから出射した後に、フレキシブルプリント基板ＦＰＣで反射することで、かかる光量の低下を補い、これによりパネル１０発光時に、つなぎ目が目立たないようにできる。従って小面積のパネル１０を組み合わせて、違和感の少ない大面積の照明を行うことができる。又、パネル１０が配線を含んでおり、比較的薄い照明装置を提供できる。
【００２７】
更に、フレキシブルプリント基板ＦＰＣは可撓性を有するので、図２、３に示すように折り畳むことができ、収容や運搬が容易である。このとき、図３（ａ）に示すように、パネル１０の発光面を外側に向けるように折り畳むこともできる。この場合、隣接するパネル１０の内側に位置するフレキシブルプリント基板ＦＰＣを、比較的小さい半径で１８０度折り曲げることができる。また、図３（ｂ）に示すように、パネル１０の発光面を内側に向けるように１８０度折り畳むこともできるが、隣接するパネル１０の外側に位置するフレキシブルプリント基板ＦＰＣは、比較的大きい半径で折り曲げられる。尚、図３（ａ）の折り曲げ態様においては、フレキシブルプリント基板ＦＰＣの露出している部分Ａの長さΔは、両パネル１０の厚さｔの和より小さくても良い。
【００２８】
図５は、本実施の形態の変形例にかかる折り畳み可能な照明装置の拡大断面図である。本変形例によれば、発光面１４ａ側から見えるようにパネル１０の端面１４ｂ’を斜めに切断しており、隣接するパネル１０の端面１４ｂ’の尖った先端同士は接しているか、僅かな間隔をあけて離れている。
【００２９】
かかる変形例によれば、発光面１４ａを外側にして、隣接するパネル１０間のフレキシブルプリント基板ＦＰＣで折り畳むことができるにも関わらず、隣接するパネル１０間のフレキシブルプリント基板ＦＰＣは、端面１４ｂ’に覆われて発光面側では殆ど露出しないので、パネル１０発光時に、つなぎ目が目立たないようにできる。
【００３０】
（第２の実施の形態）
図６は、第２の実施の形態にかかる折り畳み可能な照明装置の拡大断面図である。図７は、第２の実施の形態にかかる照明装置を折り畳んだ状態で示す斜視図である。図８は、第２の実施の形態にかかる照明装置を折り畳んだ状態で示す拡大断面である。
【００３１】
本実施の形態においては、連結部としては、フレキシブルプリント基板ＦＰＣに加え、可撓性があり且つ透明な素材にてフレキシブルプリント基板ＦＰＣを覆う可撓部材ＦＬからなる。フレキシブルプリント基板ＦＰＣの配線は、直接、陰極層１２及び陽極層１３の端部に接続される。フレキシブルプリント基板ＦＰＣの代わりにコードなどでも良い。可撓部材ＦＬはパネル１０より薄く、その両端はパネル１０の端面１４ｂに接着されていると好ましい。
【００３２】
本実施の形態によれば、パネル１０の発光時に、出射光の一部が透明板１４の端面１４ｂから出射した後に、可撓部材ＦＬ内を透過しながら出射するので、連結部に発光層がない場合でも、出射光量の低下を補い、これによりパネル１０のつなぎ目が目立たないようにできる。パネル１０間のフレキシブルプリント基板ＦＰＣを、上述の実施の形態と同様に白色等に着色することで、反射効果を持たせることもできる。
【００３３】
更に、フレキシブルプリント基板ＦＰＣと可撓部材ＦＬは可撓性を有するので、図７，８に示すように折り畳むことができる。このとき、図８に示すように折り畳んだ状態で、フレキシブルプリント基板ＦＰＣが外部に露出することがなく、可撓部材ＦＬにより保護されているので、不測の外力が付与された場合でも、配線の切断等を回避できる。加えて、本実施の形態は、上述した実施の形態に比べて照明装置を広げた時の可撓性の連結部の段差が少なく、連結部が目立たないという利点がある。
【００３４】
本発明の照明装置は、平面上に設置できるほか、図９、１０に示すように曲面ＣＰ上にも配置でき、更には滑らかに凹凸のある壁面にも配置できる。但し、図１０に示すように、凹状の曲面ＣＰに取り付けるときは、図５に示す端面１４ｂ’が斜めに切断された変形例のパネル１０を用いるのが好ましい。又、パネルとしては有機ＥＬではなく、例えばＬＥＤと導光板とを組み合わせて用いても良い。本発明の照明装置は、電池を電源とすれば屋外など電源供給が困難な場所でも使用可能である。
【符号の説明】
【００３５】
１０ パネル
１１ 発光層
１２ 陰極層
１３ 陽極層
１４ 透明板
１４ａ 発光面
１４ｂ、１４ｂ’ 端面
ＣＰ 曲面
ＦＬ 可撓部材
ＦＰＣ フレキシブルプリント基板
【図１】
2012199066.tif 000003
【図２】
2012199066.tif 000004
【図３】
2012199066.tif 000005
【図４】
2012199066.tif 000006
【図５】
2012199066.tif 000007
【図６】
2012199066.tif 000008
【図７】
2012199066.tif 000009
【図８】
2012199066.tif 000010
【図９】
2012199066.tif 000011
【図１０】
2012199066.tif 000012